(57)【要約】【課題】作業者への身体的負担を軽減できて濾過終了の判別を短時間で行うことを可能にする血液濾過フィルターを提供する。【解決手段】血液濾過フィルター１は、容器本体２と、濾材３と、少なくとも一つの視認可能部４と、を備えている。容器本体２は、第一通液口２１と、第二通液口２２と、を備えている。濾材３は、容器本体２に収容されており、第一通液口２１から供給された血液を濾過し且つ濾過した血液を第二通液口２２に供給する。視認可能部４は、容器本体２の内面又は濾材３に設けられており、第二通液口２２に供給される血液の有無を視認可能に構成されている。【選択図】図１Ａ
2020195516.tif 000002
【特許請求の範囲】
【請求項１】
第一通液口及び第二通液口を備えた容器本体と、
前記容器本体に収容されており、前記第一通液口から供給された血液を濾過し且つ濾過した血液を前記第二通液口に供給する濾材と、
前記容器本体の内面又は前記濾材に設けられており、前記第二通液口に供給される血液の有無を視認可能な少なくとも一つの視認可能部と、を備えた、
血液濾過フィルター。
【請求項２】
前記容器本体内には、血液が通過する第１内部空間が区画されており、
前記容器本体の内面には、前記第１内部空間から独立した第２内部空間が少なくとも一つ区画されており、
前記第２内部空間を前記第１内部空間に露出させる開口部を有し、血液が前記第２内部空間内に留まることが可能に構成されている、
請求項１に記載の血液濾過フィルター。
【請求項３】
前記第２内部空間は前記開口部の機能を備えた連通管を有する、
請求項２に記載の血液濾過フィルター。
【請求項４】
視認可能部は、前記容器本体に第２容器が重ねられた重畳部を有し、
前記重畳部は、前記第２容器が接着された接着部と、前記第２容器が接着されていない非接着部と、を含み、該非接着部が第２内部空間且つ開口部として構成されている、
請求項２に記載の血液濾過フィルター。
【請求項５】
前記視認可能部は、濾過される前の血液が最初に接する前記容器本体または前記濾材の一部において、前記容器本体または前記濾材が持つ血液への親和性を逆にする高分子材料を加えることで、濾過が終了した状態で前記容器本体または前記濾材の一部と該一部とは異なる他部との間に色差を表すように構成されている、
請求項１に記載の血液濾過フィルター。
【請求項６】
前記視認可能部は、濾過される前の血液が最初に接する前記濾材の一部を改質することで、濾過が終了した状態で前記一部と該一部とは異なる前記濾材の他部との間に色差を表すように構成されている、
請求項１に記載の血液濾過フィルター。
【請求項７】
前記濾材を血液の流れ方向において４等分した最も下流側のエリアに、前記視認可能部の少なくとも一部が含まれている、
請求項１から６のいずれか一項に記載の血液濾過フィルター。
【発明の詳細な説明】
【技術分野】
【０００１】
本発明は、血液濾過フィルターの操作性向上に関する。
【背景技術】
【０００２】
輸血の分野においては、供血者から採血した血液に抗凝固剤を添加した全血製剤を輸血する、いわゆる全血輸血に加えて、全血製剤から受血者が必要とする血液成分を分離し、その血液成分を輸注する、いわゆる成分輸血が一般的に行われるようになっている。また、最近では、血液製剤中に含まれている白血球を除去してから血液製剤を輸血する、いわゆる白血球除去輸血が普及してきている。
【０００３】
現在、血液製剤から白血球を除去する方法には、大きく分けて、遠心分離機を用いて血液成分の比重差を利用して白血球を分離除去する遠心分離法と、不織布等の繊維集合体又は連続気孔を有する多孔構造体などからなるフィルター材を用いて白血球を除去するフィルター法との２種類がある。白血球を粘着又は吸着により除去するフィルター法は、操作が簡便であること及びコストが安いことなどの利点を有するため、現在最も普及している。
【０００４】
フィルター法では、製剤保存用の血液バッグや抗凝固剤などと白血球除去フィルターとがあらかじめ接続された回路キットを用いて、血液製剤から白血球を除去する。その際、回路キット最上部に位置する血液製剤が入った採血バッグを濾過用スタンドにかけ、その他バッグを濾過スタンドの下部に置くと、白血球除去フィルターは採血バッグと保存バッグの間に位置するため、白血球除去フィルターは作業者の目線から離れた地面に近い位置に存在する。
【０００５】
血液製剤を血液濾過フィルターで濾過する際の濾過終了は、採血バッグが空になったことと血液濾過フィルターの正面に血液溜まりが存在しない事で判断する方法が主流である。
【先行技術文献】
【特許文献】
【０００６】
【特許文献１】国際公開第２０１６／２０４２９７号
【発明の概要】
【発明が解決しようとする課題】
【０００７】
しかしながら特許文献１に記載された従来の血液濾過フィルターは作業者の目線から離れた低い位置にあるため、血液溜まりの有無を確認するために作業者が姿勢を低くする必要がある。さらに、フィルター正面全体を見て血液溜まりが存在しないことを確認するため、姿勢を低くした状態を維持しなくてはならない。かがんだりしゃがんだりして姿勢を低くすることは、数回ならば許容可能であっても数多くの作業をこなす状況下では作業者の腰や足に過大な負荷となる。
【０００８】
そこで、本発明は、作業者への身体的負担を軽減できて濾過終了の判別を短時間で行うことを可能にする血液濾過フィルターを提供することを目的とする。
【課題を解決するための手段】
【０００９】
本発明の一態様に係る血液濾過フィルターは、容器と、濾材と、少なくとも一つの視認可能部と、を備えている。容器本体は、第一通液口及び第二通液口を備えている。濾材は、容器本体に収容されており、第一通液口から供給された血液を濾過し且つ濾過した血液を第二通液口に供給する。視認可能部は、容器本体の内面又は濾材に設けられており、第二通液口に供給される血液の有無を視認可能に構成されている。
【００１０】
上記態様において、容器本体内には、血液が通過する第１内部空間が区画されており、容器本体の内面には、第１内部空間から独立した第２内部空間が少なくとも一つ区画されており、第２内部空間を第１内部空間に露出させる開口部を有し、血液が前記第２内部空間内に留まることが可能に構成されていてもよい。
【００１１】
上記態様において、第２内部空間は開口部の機能を備えた連通管を有していてもよい。
【００１２】
上記態様において、視認可能部は、容器本体に第２容器が重ねられた重畳部を有し、重畳部は、第２容器が接着された接着部と、第２容器が接着されていない非接着部と、を含み、該非接着部が第２内部空間且つ開口部として構成されていてもよい。
【００１３】
上記態様において、視認可能部は、濾過される前の血液が最初に接する容器本体または濾材の一部において、容器本体または濾材が持つ血液への親和性を逆にする高分子材料を加えることで、濾過が終了した状態で容器本体または濾材の一部と該一部とは異なる他部との間に色差を表すように構成されていてもよい。
【００１４】
上記態様において、視認可能部は、濾過される前の血液が最初に接する濾材の一部を改質することで、濾過が終了した状態で一部と該一部とは異なる濾材の他部との間に色差を表すように構成されていてもよい。
【００１５】
上記態様において、濾材を血液の流れ方向において４等分した最も下流側のエリアに、第２内部空間の少なくとも一部が含まれていてもよい。
【発明の効果】
【００１６】
本発明によれば、作業者への身体的負担を軽減できて濾過終了の判別を短時間で行うことを可能にする血液濾過フィルターを提供することができる。
【図面の簡単な説明】
【００１７】
【図１Ａ】図１Ａは、血液濾過フィルター使用時の血液の流れと視認可能部の現れ方の一例を示す正面図である。
【図１Ｂ】図１Ｂは、血液濾過フィルター使用時の血液の流れと視認可能部の現れ方の他の一例を示す正面図である。
【図２】図２は、硬質容器として構成された容器本体の視認可能部を配置する場所の一例を示す正面図である。
【図３】図３は、可撓性容器として構成された容器本体の視認可能部を配置する場所の一例を示す正面図である。
【図４Ａ】図４Ａは、硬質容器における視認可能部の例を示す図であり、内面と平行に内部空間が形成された図である。
【図４Ｂ】図４Ｂは、硬質容器における視認可能部の例を示す図であり、下流側へ向かうに従い内面側から離間するように内部空間が形成された図である。
【図４Ｃ】図４Ｃは、硬質容器における視認可能部の例を示す図であり、下流側に向かうに従い有底の内部空間が形成された図である。
【図４Ｄ】図４Ｄは、硬質容器における視認可能部の例を示す図であり、上流側に複数の連通管が形成された図である。
【図４Ｅ】図４Ｅは、硬質容器における視認可能部の例を示す図であり、湾曲した内部空間が形成された図である。
【図５】図５は、視認可能部の内部空間に血液が侵入することで形成されるマーク種々の例を示す図である。
【図６Ａ】図６Ａは、容器本体と濾材との間の第１内部空間に血液が流れ始めるときの、容器本体の内部空間への血液接触方向の一例を示す断面図である。
【図６Ｂ】図６Ｂは、容器本体と濾材との間の第１内部空間に血液が流れ始めるときの、第２内部空間への血液接触方向の他の一例を示す断面図である。
【図７】図７は、金型を用いた硬質容器を成型する方法を模式的に示す図である。
【図８】図８は、レーザー等で容器本体の内部空間を作製する方法を示す断面図である。
【図９Ａ】図９Ａは、可撓性容器に視認可能部を作製する方法の例を示す図である。
【図９Ｂ】図９Ｂは、可撓性容器に視認可能部を作製する方法の例を示す図である。
【発明を実施するための形態】
【００１８】
添付図面を参照して、本発明の好適な実施形態について説明する。なお、各図において、同一の符号を付したものは、同一又は同様の構成を有する。本発明の各実施形態に係る血液濾過フィルター１は、第二通液口２２に供給される血液の有無を視認可能な視認可能部４を備えていることが特徴の一つである。これにより、作業者への身体的負担を軽減できる。また、濾過終了の判別を短時間で行うことができる（図１Ａ及び図１Ｂ参照）。
【００１９】
視認可能部４は、濾材３を血液の流れ方向に四等分した下流側から１／４のエリアに配置されることが好ましい（図２及び図３参照）。出口である第二通液口２２に近いエリアの血液の有無を視認できるため、濾過終了までの残り時間をより正確に判別できる。血液濾過フィルター１は、容器本体２が硬質容器であってもよいし（図４Ａから図８参照）、容器本体２が可撓性容器であってもよい（図９Ａ及び図９Ｂ参照）。以下、図１Ａから図９Ｂを参照して各構成について詳しく説明する。
【００２０】
図１Ａ及び図１Ｂに示すように、血液濾過フィルター１は、容器本体２と、濾材３と、少なくとも一つの視認可能部４と、を備えている。容器２は、互いに接着された入口側容器２Ａ及び出口側容器２Ｂで構成されている。入口側容器２Ａ及び出口側容器２Ｂは、濾材３を挟むように配置されている。入口側容器２Ａには、血液を容器本体２の内部空間（第１内部空間）２０に導入する第一通液口２１が設けられている。出口側容器２Ｂには、濾材３によって濾過された血液を排出する第二通液口２２が設けられている。
【００２１】
血液濾過フィルター１に用いられる容器本体２は、種々の材料を使って作製することができる。容器本体２は、例えば、フィルター成形のしやすいプラスチック製である。用途に応じて硬質プラスチックと可撓性プラスチックを使い分けることが望ましい。また、容器本体２は、視認可能部４に現れるマークを視認するために無色透明が好ましいが、血液の濾過が終了した状態で視認可能部４が目視できる程度であれば、有色透明にしてもよいし、透明性を低くしてもよい。
【００２２】
また、容器本体２の材料は、硬質材料であってもよいし、可撓性材料であってもよい。容器本体２の材料として、例えば、ポリカーボネート、ポリエステル、ポリアミド、ポリスチレン、ＡＢＳ、ポリエチレン、ポリプロピレン、ポリ塩化ビニル、ＳＢＳ、スチレン・ブタジエンブロックコポリマー等の熱可塑性エラストマー、ＳＢＳ等の熱可塑性エラストマーの部分水素添加物、完全水添スチレン系エラストマー等の熱可塑性樹脂全般、熱硬化性樹脂等の樹脂が使用できる。
【００２３】
血液濾過フィルター１に用いられる濾材３は、種々の材料を使って作成することができる。血液濾過フィルター１内に留まる血液量が少なくするために、好ましくは、視認可能部４に血液が留まる構造とし、疎水性の濾材３を少なくとも濾過する前の血液が接する容器本体２の内面側に存在させた方がよい。濾過が終了した後の血液回収量を向上させることができる。
【００２４】
濾材３には、不織布や織布などの繊維状多孔性媒体や、スポンジ状構造物などの三次元網目状連続細孔を有する多孔質体などの濾過媒体を用いることができる。なお、メッシュやスクリーン等の接着性に優れないものでない方が好適である。濾材３の素材としては、例えば、ポリプロピレン、ポリエチレン、スチレン−イソブチレン−スチレン共重合体、ポリウレタン、ポリエステル等が挙げられる。濾材３が不織布である場合には、生産性の点から特に好ましい。
【００２５】
血液濾過は、第一通液口２１から入口側容器２Ａへと血液が侵入し、入口側容器２Ａに近い濾材３から出口側容器２Ｂに近い濾材３へ向かって血液が浸透する。血液濾過フィルター１内の濾材３を血液が通過することによって血液が濾過され、出口側容器２Ｂに滲出した濾過された後の血液が、第二通液口２２を通って血液濾過フィルター１から排出される。
【００２６】
血液の濾過が終了したか否かは、容器本体２または濾材３に設けられた視認可能部４と視認可能部４以外の間の血液の色差を認識することによって判断が可能となる。例えば、視認可能部４に血液が留まる場合、図１Ａに示すように、血液濾過フィルター１に血液を濾過すると視認可能部４に血液が接触する。血液の濾過中は視認可能部４と視認可能部４以外の部位と両方に血液が存在しているため、視認可能部４に現れるマークを判別することは難しい。濾過が終わると第１内部空間２０から血液が存在しなくなり視認可能部４に留まった血液のみが残るため、残った血液をマークとして判別可能になる。
【００２７】
一方、視認可能部４に血液が留まらない場合、図１Ｂに示すように、血液濾過フィルター１に血液を濾過すると視認可能部４に血液が接触する。血液の濾過中は視認可能部４と視認可能部４以外の両方に血液が存在しているため、視認可能部４に現れるマークを判別することは難しい。濾過が終わると第１内部空間２０に血液が存在するが、視認可能部４のみに血液が留まらないため、血液が存在していない部位をマークとして判別可能になる。
【００２８】
他に考えられる判別方法として、例えば、容器本体２の一部をすりガラス様に加工したものを使用することも考えられる。この場合、血液の処理中には、すりガラス様の模様部分だけが光を拡散するため血液の色が薄く抜ける。一方、濾過が終了した状態では血液が存在しないため、全体が均一の色に戻り、濾過中・濾過後の色の変化から濾過が終了したことを確認できる。この方法では血液を容器に滞留させないため、血液回収量に影響しないことが特長である。但し、濾過した後のみ確認しただけでは、濾過が行われたか否かが判別できないため、意味をなさない点に注意する必要がある。
【００２９】
続いて、図４Ａから図９Ｂを参照して、視認可能部４の構造について詳しく説明する。図４Ａから図８は、容器本体２が硬質容器である場合の構成を説明する図であり、図９Ａ及び図９Ｂは、容器本体２が可撓性容器である場合の構成を説明する図である。図４Ａから図４Ｅは、硬質容器として構成された入口側容器２Ａの断面を示している。容器本体２を構成する壁板２５は、硬質材料から板状に形成されている。壁板２５の板厚は、例えば１〜３ｍｍ程度である。
【００３０】
図示したように、視認可能部４は、壁板２５の内面２５Ａと外面２５Ｂとの間に位置している。視認可能部４は、少なくとも１つの内部空間（第２内部空間）４０を有している。第２内部空間４０は、濾材３が収容された内部空間（第1内部空間）２０から独立して区画され、内面２５Ａを挟んで第１内部空間２０とは反対側に位置している。第２内部空間４０は、内面２５Ａに向かって開口した開口部４１を有している。
【００３１】
図４Ａ、図４Ｂ及び図４Ｅに示す例では、内部空間４０の上流側と下流側とに開口部４１が一つずつ設けられている。図４Ｃに示す例では、内部空間４０の上流側にのみ開口部４１が設けられている。図４Ｄに示す例では、内部空間４０の上流側に複数（例えば、二つ）の開口部４１が設けられている。開口部４１と第２内部空間４０の形状を変える事により、図５に例を示すような様々な模様や文字にするなど、形状を自由に設定することができる。
【００３２】
血液は上流側の開口部４１から内部空間４０へ自ら侵入する。内部空間４０に元々あった空気は血液によって押し出されることになる。ただし、開口部４１が１つの場合すなわち上流側のみの場合は血液侵入時に内部空間４０内の空気を排出できるだけの大きさが必要である。開口部４１が２つ以上ある場合は、床面に対して水平に並ばないようにする必要がある。理由は、最初に開口部４１に接する血液は重力によって上から下、又は下から上の方向に流れる（図６Ａ及び図６Ｂ参照）ので、水平に開口部４１が並ぶと同時に血液が接触することになり空気の排出を妨げてしまい、内部空間４０内に血液が溜まらなくなる懸念があるためである。
【００３３】
また、開口部４１の一例として図４Ａ及び４Ｄのように、血液や空気の通路になることを目的にこの内部空間４０と開口部４１とに連通した連通管４２を有していてもよい。開口部４１に付設された連通管４２は、例えば、内部空間４０よりも径を小さくすることで血液が毛細管現象で自ら内部空間４０へ侵入することを可能にする。
【００３４】
硬質容器を構成する壁板２５に視認可能部４を作製する手法として、成形金型に視認可能部４の凹部を転写した凸部をあらかじめ確保する手法、インナーマーキングを用いる手法、容器本体２に直に電動工具等を用いる手法等が挙げられる。成形金型に視認可能部４をあらかじめ確保する手法は、図７に示すように金型に樹脂を投入した後に金型を取り外すことで壁板２５内に内部空間４０を確保する。なお、図７に示された金型は、説明のために模式的に示したものであり、実際の形状とは異なる。内部空間４０及び開口部４１の形状を転写した金型を用いる場合、視認可能部４が単純な形状であれば、量産しやすいという利点がある。
【００３５】
インナーマーキング等で容器本体２の壁板２５内に無数のヒビ（クラック）を発生させて内部空間４０を確保する手法は、図８（ａ）に示すように内部空間４０と開口部４１を同時に形成する場合と、図８（ｂ）に示すように内部空間４０のみをインナーマーキング等で形成し、開口部４１は直に錐のような形状の電動工具等で形成する場合のどちらを選択してもよい。複雑な形状の空間であっても作りやすいという利点がある。図示しないが、インナーマーキングすることなく直に電動工具等で空間を確保する手法は、前述の方法に比べて作業工程が少なく単純な形状の空間が作りやすい。
【００３６】
図９Ａ及び図９Ｂは、例えば可撓性容器として構成された容器本体２に視認可能部４を作製する方法を示している。図９に示された第１容器（第１可撓性容器）２６は、例えば高分子材料から形成され、容器本体２を構成している。視認可能部４を作製する場合は、図９のように視認可能なマークをつけたい部分の入口側容器２Ａの第１容器２６の内面に、第１容器２６と同様の高分子材料から形成された第２容器（第２可撓性容器）２７を接着する方法が挙げられる。ただし、第１容器２６及び第２容器２７は、可撓性素材である場合に限らない。
【００３７】
図９Ａに示す例では、視認可能部４は、第１容器２６に第２容器２７が重ねられた重畳部２８を有している。第２容器２７の全面を接着すると非接着部２８２が無く血液が進入できないため、ドットの様に接着することで非接着部２８２が残るように接着する。非接着部２８２全体が１つの内部空間４０となっているため、血液が非接着部２８２に接触すると、非接着部２８２全体に血液が行き渡ることになる。
【００３８】
もしくは、図９Ｂのように同素材を一部（外縁）のみを接着部２９１として接着して重畳部２９をポケット構造にすることで血液を溜めることも可能である。この場合は、重畳部２９の外縁の空いている部分（非接着部２９２）から血液が侵入し、重畳部２９のポケット内にある空気が排出される。
【００３９】
接着方法は超音波溶着や高周波溶着等を使い、接着剤等の新たな材料を使わないことが望ましい。新たな材料は前述のように、生体に悪影響を及ぼす懸念があるためである。第１容器２６に厚みがあり、第１容器２６に内部空間を作成しても容器本体２の強度を保証できる場合は、硬質容器として構成した容器本体２における視認可能部４の形成方法と同様の方法で作製してもかまわない。
【００４０】
本発明の視認可能部４は、血液処理フィルター１の外面側ではなく内面側に位置していればよい。換言すると、必ずしも壁板２５の内面２５Ａや第一容器２６の内面に設けられている必要はない。例えば、前述した図１Ｂに示す例では、濾材３に視認可能部４を設けていた。濾材３に視認可能部４を設ける場合、例えば、濾材３の一部にコート剤を塗布したり、濾材３とは異なる濾材を貼り付けたり、濾材３の一部を加熱したりして、濾材３の表面を改質すればよい。
【００４１】
濾材３への塗布によって視認可能部４を得るためには、例えば、プレフィルター層が疎水性濾材であれば親水性になるような高分子材料を塗布する。プレフィルター層が親水性濾材であれば疎水性になるような高分子材料を塗布する。これにより、視認可能部を作製することができる。必要なのはプレフィルター層が持つ性質の逆の性質になるように加工した結果、血液の残存量に差をつけることで色差を得ることである。
【００４２】
塗布するための高分子材料には、血液に対して悪影響を及ぼさないものである必要がある。元々血液濾過フィルター１の作製に使用されているコート剤の様に、血液濾過フィルター１を作製するための濾材３に使用されるものを使うと、新たな材料を用いる必要がないため生体への悪影響を懸念しなくてもよい利点がある。例えば、双性イオンを含む官能基と、塩基性含窒素官能基を有するポリマーが挙げられる。高分子材料（濾材３とは異なる濾材）の追加によって視認可能部４を得るためには、濾材３が疎水性であれば貼り付ける濾材は親水化処理をしたものが望ましい。逆に濾材３が親水性であれば、貼り付ける濾材は疎水化処理をしたものが望ましい。
【００４３】
親水性の濾材３から改質によって視認可能部４を作製するには、例えば、視認可能部４を作製したい部分へ高温のコテ状の治具を押しつける方法が挙げられる。濾材３の樹脂を熱で溶融した後に樹脂が冷えて固化することによって血液が留まらない部分となり、血液によって色差が発生することで視認可能部４となる。逆に、疎水性の濾材３から改質によって視認可能部４を作製するには、プラズマ処理やコロナ処理が挙げられる。その際は、処理によって表面を改質した部分のみに血液が留まることで、血液による色差が発生して視認可能部４の役割を果たす。
【００４４】
容器本体２が持つ視認可能部４は血液の濾過が終了したことを判別するためにあるので、図２や図３に示すように濾過される前の血液が最初に接する濾材３を縦方向すなわち第一通液口２１から第二通液口２２へ向かう血液の流れ方向に４等分したエリア３１，３２，３３，３４のうちの最も下流側のエリア３４に、全体または一部の視認可能部４を配置すると、濾過されている途中で濾過を終了させることによる血液の回収量の減少を防ぐことができ、且つ濾過の終了を最短時間で判別することが可能になる。作業時間や作業場所に余裕がある場合は、濾過したまましばらく放置しておくことが可能だが、通常は濾過が終われば次の濾過を新たに行うため、濾過にかかる時間は最低限であることが望ましい。
【００４５】
視認可能部４に血液が留まる場合、血液量の下限は視認可能部４に現れるマークが判別できる量が必要である。上限は０．５ｍＬ以下、可能なら０．３ｍＬ以下が望ましい。理由は、血液を濾過した後の血液の回収量はより多いことが求められるので、できるだけ少量で視認可能部４の外観であるマークが形成されることが望ましいためである。
【００４６】
作業者が血液濾過フィルター１を見るために姿勢を変えずに視認可能部４を視認できるよう、濾過される前の血液が最初に接する容器本体２に１ｃｍ2以上の面積があることが好ましい。視認可能部４に血液が留まる場合は、面積を大きくすればするほど血液回収量が減少することを考えると、面積は８ｃｍ2以下であることが好ましい。
【００４７】
［実施例１］
実施例１は、硬質材料から成る容器本体２と濾材３から成る血液濾過フィルター１で、視認可能部４を１個以上有している。視認可能部４は容器本体２の壁板２５内に内部空間４０と内部空間４０の上流側のみに形成された開口部４１を有するものであり、容器本体２に収容された濾材３を３等分した中央エリアに位置している。
【００４８】
この血液濾過フィルター１を用いて血液の濾過を行った結果を表１に示す。視認可能部４は、濾過が終了した時の濾過される前の血液の残存量の差で得られる色差を利用するもので、血液の濾過中には容器本体２と濾材３の間の第１内部空間２０に濾過される前の血液が存在するために視認可能部４を視認することが出来ないが、血液の濾過が終了すると色差によって視認可能部４が現れることで、従来の血液濾過フィルターよりも離れた位置で濾過の終了を判別でき、作業者の姿勢への負担を改善できる。
【００４９】
［実施例２］
実施例２は、視認可能部４が連通管４２を有する点が実施例１と異なる。このフィルターを用いて血液の濾過を行った結果を表１に示す。視認可能部４は血液が自ら連通管４２を通って内部空間４０へ侵入し実施例１と同様に色差を利用して現れる。
【００５０】
［実施例３］
実施例３は、視認可能部４が容器本体２に収容された濾材３を縦方向に４等分した最も最下流側のエリア３４に位置している点が実施例２と異なる。このフィルターを用いて血液の濾過を行った結果を表１に示す。視認可能部４は血液が自ら連通管４２を通って内部空間４０へ侵入し実施例１と同様に色差を利用して現れた。また、実施例２と比して視認可能部４が下流側にあり、ろ過が終了した時に視認可能部４が現れるので、濾過の途中で中断することなく血液を回収し、回収量を最大限確保することができる。一方、実施例２では、完全に濾過が終了する前に視認可能部４を視認することになるので、血液濾過フィルター１内に一定量の血液を残したまま濾過を中断することができる。
【００５１】
［実施例４］
実施例４は、可撓性容器として構成された容器本体２と濾材３から成る血液濾過フィルター１で、視認可能部４を１個有している。視認可能部４は第一容器２６と第二容器２７の接着により作製されたもので、容器本体２の濾材３を縦方向に３等分した中央エリアに位置する。このフィルターを用いて血液の濾過を行った結果を表１に示す。
【００５２】
実施例４では、内部空間４０の外縁である接着面が接着部２８１と非接着部２８２を有することで、非接着部２８２が内部空間４０と開口部と双方の機能を果たす。血液の進入と同時に非接着部２８２の空気が排出されることで、血液が非接着部２８２に留まることが可能になる。濾過が終了した時は、実施例２と同様に完全に濾過が終了する前に視認可能部４を視認することになるので、血液濾過フィルター１内に一定量の血液を残したまま濾過を中断することができる。
【００５３】
［実施例５］
実施例５は、容器本体２に収容された濾材３を縦方向に４等分した最も下流側のエリア３４に位置している点が実施例４と異なる。このフィルターを用いて血液の濾過を行った結果を表１に示す。実施例５では、血液の濾過が終了した時に視認可能部４が現れるので、濾過の途中で中断することなく血液を回収し、回収量を最大限確保することができる。
【００５４】
［実施例６］
実施例６は、容器本体２と濾材３から成る血液濾過フィルター１で、視認可能部４を１個有している。濾材３は、濾過する前の血液が最初に接する表面に疎水性濾材があり、疎水性濾材に続いて親水性濾材（高分子材料）が重ねられている。疎水性濾材に直径１５ｍｍの円に切った親水性濾材（高分子材料）を、容器本体２に収容された濾材３を縦方向に３等分した中央エリアに超音波で円の一部を溶着して、視認可能部４を作製した。
【００５５】
この血液濾過フィルター１を用いて血液の濾過を行った結果を表１に示す。濾過が終了した時には溶着した親水性濾材は疎水性濾材よりも血液を多く含んでいるため色差が発生し、これが視認可能部４となっている。実施例６では、濾過が終了した時は、実施例２と同様に完全に濾過が終了する前に視認可能部４を視認することになるので、血液濾過フィルター１内に一定量の血液を残したまま濾過を中断することができる。
【００５６】
［実施例７］
実施例７は、容器本体２に収容された濾材３を縦方向に４等分した最も下流側のエリア３４に位置している点が実施例６と異なる。実施例７では、血液の濾過が終了した時に視認可能部４が現れるので、濾過の途中で中断することなく血液を回収し、回収量を最大限確保することができる。
【００５７】
［実施例８］
実施例８は、容器本体２と濾材３から成る血液濾過フィルター１で、視認可能部４を１個有している。濾材３は、濾過する前の血液が最初に接する面に親水性濾材があり、容器本体２に収容された濾材３を縦方向に３等分した中央エリアに相当する親水性濾材に、１ｃｍ2の正方形のコテで熱を直接加えて濾材を繊維状から樹脂状に改質させたものである。この血液濾過フィルター１を用いて血液の濾過を行った結果を表１に示す。樹脂状に改質した部分は血液を含まなくなり、一方で周囲の親水性濾材は血液を含むため、濾過が終了すると血液残存量の差で色差が発生し、これが視認可能部４となる。実施例８では、実施例２と同様に完全に濾過が終了する前に視認可能部を視認することになるので、フィルター内に一定量の血液を残したまま濾過を中断することができる。
【００５８】
［比較例１］
比較例１は、容器本体２と濾材３から成る血液濾過フィルター１で、容器本体２に内部空間４０と開口部４１が無い。この血液濾過フィルター１を用いて血液の濾過を行った場合、視認可能部４が現れることはない。よって作業者は濾過が終了した時に体勢を変えて血液濾過フィルターを覗き込む必要があり、作業者への身体的負担を軽減することができない。
【００５９】
【表１】
2020195516.tif 000003
【符号の説明】
【００６０】
１…血液濾過フィルター、２…容器本体、３…濾材、４…視認可能部、２０…第１内部空間、２１…第一通液口、２２…第二通液口、２８，２９…重畳部、３４…濾材を４等分した最も下流側の４エリア、４０…第２内部空間、４１…開口部、４２…連通管、２８１，２９１…接着部、２８２，２９２…非接着部。
【図１Ａ】
2020195516.tif 000004
【図１Ｂ】
2020195516.tif 000005
【図２】
2020195516.tif 000006
【図３】
2020195516.tif 000007
【図４Ａ】
2020195516.tif 000008
【図４Ｂ】
2020195516.tif 000009
【図４Ｃ】
2020195516.tif 000010
【図４Ｄ】
2020195516.tif 000011
【図４Ｅ】
2020195516.tif 000012
【図５】
2020195516.tif 000013
【図６Ａ】
2020195516.tif 000014
【図６Ｂ】
2020195516.tif 000015
【図７】
2020195516.tif 000016
【図８】
2020195516.tif 000017
【図９Ａ】
2020195516.tif 000018
【図９Ｂ】
2020195516.tif 000019